(57)【特許請求の範囲】
【請求項１】
内部に被収納物を収納・取出可能な開口部を有する袋体と、
前記袋体の内部を密封・開封可能なチャック部と、
前記袋体の内部を前記チャック部により密封した状態で、前記袋体の内部に存在する気体を外部に放出可能な逆止弁を有する脱気部と、
前記袋体の内部に連通しないように形成された手持ち用穴と
を有し、
前記手持ち用穴が、前記袋体の前記チャック部より外側及び前記脱気部より外側のそれぞれに形成されており、
前記チャック部と前記脱気部の間で前記袋体を２つに折り畳んだ際に、前記チャック部より外側に形成された前記手持ち用穴及び前記脱気部より外側に形成された前記手持ち用穴の少なくとも一部が重なり、その重なった部分で前記袋体を手持ち可能である
する圧縮袋。
【請求項２】
前記袋体は、２枚のフィルムを重ね合わせ、Ｈ形状をなすように形成された側シール部及び底シール部により両側部及び下部を塞ぐことで、上部が開口部となるように形成されたものであり、
前記底シール部には、前記逆止弁が挟み込まれており、その部分が前記脱気部をなしている
請求項１に記載の圧縮袋。
【請求項３】
前記袋体の一方の表面に一対の雄チャック及び雌チャックが設けられており、前記チャック部と前記脱気部の間で前記袋体を２つに折り畳んだ際に、前記雄チャック及び前記雌チャックが嵌合して、前記袋体が折り畳まれた状態で固定される請求項１又は２に記載の圧縮袋。
【請求項４】
前記手持ち用穴が形成された領域は、前記袋体から切り取り可能である請求項１〜３のいずれか１項に記載の圧縮袋。
【発明の詳細な説明】
【技術分野】
【０００１】
本発明は、衣類などの被収納物を収納した状態で脱気することで被収納物を圧縮することが可能な圧縮袋に関する。
【背景技術】
【０００２】
従来、布団や衣類などの被収納物を圧縮した状態で収納可能な圧縮袋が知られている。圧縮袋は、被収納物を収納した状態で内部の気体を外部に抜き出せる（脱気することができる）構造となっている。使用方法としては、まず圧縮袋に被収納物を収納し、その後に掃除機や手で圧縮することで内部の圧力を強制的に下げることで、被収納物を圧縮することができる。圧縮袋を利用することで、被収納物の容積は１／２〜１／３程度まで圧縮されることから、それらの収納場所は狭くてもよくなり、また同じ容積の収納場所により多くの被収納物を収納することができるようになる。
【０００３】
このような圧縮袋に対し、収納のしやすさ、脱気のしやすさ、被収納物のさらなるコンパクト化を目的とした技術開発が進められている。特許文献１には、外周縁の一縁に収納物を収納するための開口部が形成された樹脂製の袋本体と、この袋本体の内面に設けられ、前記開口部を塞ぐ咬合具と、前記袋本体内部の空気を排出する樹脂製の脱気部とを備えた脱気部付圧縮袋であって、前記脱気部の基端で当該脱気部と前記袋本体とが溶着され、前記脱気部は、前記袋本体内部に空気が逆流することを防止する逆流防止手段を有することを特徴とする脱気部付圧縮袋が開示されている。
【先行技術文献】
【特許文献】
【０００４】
【特許文献１】特開２００１−１８０６８７号公報
【発明の概要】
【発明が解決しようとする課題】
【０００５】
これまでの圧縮袋は、消費者が家庭で利用することを想定していたが、例えば、被収納物（商品）が製造された段階から圧縮袋に収納して輸送すれば輸送コストの削減を見込むことができる。また、そのまま販売店で収納・展示をすれば、狭い場所で多くの商品を収納・展示することができ、商品が汚れたりすることもなくなる。さらに、消費者がその商品を購入した際に、再包装しなくて済むようになり、もちろん消費者が持ち運ぶときの容量を削減することもできる。
【０００６】
しかし、商品の容量は小さくなっているものの、基本的に厚みが薄くなっているだけであるので、消費者が商品を持ち運ぶときの大きさはそれほど変わらない。また、平たく圧縮された商品を指で摘んだり腕で抱え込んだりする必要があり、持ち運びにくいという問題もあった。
【０００７】
そこで、本発明は、被収納物をコンパクトに収納でき、簡便に持ち運び可能な圧縮袋を提供することを目的とする。
【課題を解決するための手段】
【０００８】
本発明に係る圧縮袋は、内部に被収納物を収納・取出可能な開口部を有する袋体と、
前記袋体の内部を密封・開封可能なチャック部と、
前記袋体の内部を前記チャック部により密封した状態で、前記袋体の内部に存在する気体を外部に放出可能な逆止弁を有する脱気部と、
前記袋体の内部に連通しないように形成された手持ち用穴と
を有し、
前記手持ち用穴が、前記袋体の前記チャック部より外側及び前記脱気部より外側のそれぞれに形成されており、
前記チャック部と前記脱気部の間で前記袋体を２つに折り畳んだ際に、前記チャック部より外側に形成された前記手持ち用穴及び前記脱気部より外側に形成された前記手持ち用穴の少なくとも一部が重なり、その重なった部分で前記袋体を手持ち可能である。
【発明の効果】
【０００９】
本発明によれば、被収納物をコンパクトに収納でき、簡便に持ち運び可能な圧縮袋を提供できる。
【図面の簡単な説明】
【００１０】
【図１】本発明に係る圧縮袋の構成例を示す図である。
【図２】チャック部２１の構成を示す断面図である。
【図３】本発明に係る圧縮袋に封入された被収納物１を圧縮した上で折り畳んだ状態を示す図である。
【図４】雄チャック５１及び雌チャック５２が嵌合した状態を示す断面図である。
【発明を実施するための形態】
【００１１】
本発明に係る圧縮袋の構成例を図１に示す。図１に示す圧縮袋は、フィルム１１を２枚重ね合わせ、側シール部１２及び底シール部１３により両側部及び下部を塞ぐことで、上部が開口部１４となっている袋体１０からなる。袋体１０は、基本的に平面図で略四角形（四角形や角の取れた四角形を含む）をなしており、その三方が塞がれ、残りの一方の開口部１４から内部に被収納物１を収納・取出可能な袋状のものであればよい。すなわち、フィルム１１を２枚重ね合わせて形成することや、側シール部１２及び底シール部１３を有すること自体は必須ではない。
【００１２】
袋体１０を構成するフィルムとしては、プラスチック材料で形成されたフィルムを用いることができる。プラスチック材料の具体例としては、ポリエチレン、ポリプロピレン等のポリオレフィン；ポリ塩化ビニリデン、ポリフッ化ビニリデン等のハロゲン化ポリオレフィン；ポリビニルアルコール；ナイロン６、ナイロン６，６、ポリメタキシリレンアジパミド等のポリアミド；ポリエチレンテレフタレート、ポリエチレンナフタレート、ポリブチレンテレフタレート、ポリブチレンナフタレート等のポリエステル；ポリ（メタ）アクリル酸メチル、ポリ（メタ）アクリル酸エチル、ポリ（メタ）アクリル酸ブチル等のポリアクリル酸エステル；及びこれらを形成するモノマーの共重合体などが挙げられる。なお、「（メタ）アクリル」は、メタクリル又はアクリルを意味する。
【００１３】
ポリエチレンの具体例としては、直鎖状低密度ポリエチレン、高圧法低密度ポリエチレン、高密度ポリエチレン、メタロセン系ポリエチレンなどが挙げられる。ポリプロピレンの具体例としては、プロピレンのホモポリマー、プロピレンとエチレンや１−ブテンとのランダム又はブロックコポリマーなどが挙げられる。前述したポリマーを形成するモノマーの共重合体の具体例としては、エチレン−ビニルアルコール共重合体、塩化ビニリデン−アクリル酸エステル系共重合体などが挙げられる。
【００１４】
袋体１０を構成するフィルムは、単層でもよく、共押出しなどにより２層以上に積層されていてもよい。２層以上に積層されたフィルムの場合、その一部の層が金属層であってもよい。プラスチック材料で形成された層は、無延伸フィルムからなるものでもよく、一軸延伸フィルムからなるものでもよく、二軸延伸フィルムからなるものでもよい。プラスチック材料は、酸化アルミニウムや酸化ケイ素のような無機酸化薄膜が付与されたガスバリアー性の複合材料でもよい。この複合材料は、酸化アルミニウムや酸化ケイ素の単体又は混合物を真空下で加熱気化させ、フィルムや成形品の表面に蒸着することで得ることができる。
【００１５】
例えば、基材層となるポリアミドフィルムと、シーラント層となるポリエチレンフィルム又はポリエチレンテレフタレートフィルムとを貼り合わせた積層フィルムの２枚を、それぞれのシーラント層を互いに当接させて重ね合わせ、その両側部及び下部をヒートシールして側シール部１２及び底シール部１３を形成した袋体１０とすることができる。
【００１６】
側シール部１２及び底シール部１３のシール幅は、１〜２０ｍｍとすることが好ましく、３〜１５ｍｍとすることがより好ましく、５〜１２ｍｍとすることがさらに好ましい。側シール部１２及び底シール部１３は、常温において完全シールでもよいが、易開封性を有していてもよい。側シール部１２及び底シール部１３が易開封性を有する場合の常温雰囲気下でのシール強度は、１０〜３０Ｎ／１５ｍｍが好ましく、１５〜２５Ｎ／１５ｍｍがより好ましい。なお、常温雰囲気下でのシール強度とは、ＪＩＳ  Ｚ０２３８「密封軟包装袋の試験方法」に従い、常温（２３℃６５％ＲＨ）雰囲気下で測定された値である。
【００１７】
袋体１０の上部（開口部１４側）には、袋体の内部を密封・開封可能なチャック部２１が形成されている。チャック部２１は、その構成例を図２に示すように、袋体１０を構成するフィルム１１の内側の面に雄チャック２２及び雌チャック２３を設けることで形成することができる。こうすることで、袋体１０の内部１５に被収納物１を収納した状態で、雄チャック２２の凸部分と雌チャック２３の凹部分とを嵌合させることでシール（密閉）することができる。すなわち、チャック部２１により、袋体１０の内部１５を密封・開封可能となる。
【００１８】
底シール部１３には、袋体１０の内部１５に存在する気体を外部に放出するための逆止弁３２が挟み込まれており、その部分が脱気部３１をなしている。こうすることで、袋体１０の内部１５をチャック部２１により密封した状態で、袋体１０の内部１５に存在する気体を外部に放出可能になる。より具体的には、袋体１０の内部１５に被収納物１を収納した上でチャック部２１により密封し、その状態で被収納物１を手などで押し潰すようにすることで、袋体１０の内部１５に存在する気体を外部に放出することで、被収納物１を圧縮してコンパクトに収納することができる。脱気部３１は、例えば、袋体１０の開口部１４と反対側に形成することができ、チャック部２１と脱気部３１は、互いに平行（略平行でもよい）に形成されていることが好ましい。
【００１９】
なお、逆止弁３２は、一方向には流体を通過させるが、その逆方向には流体を通過させない機能を持つものであり、逆止弁３２を通じて外部の気体を袋体１０の内部１５に導入することはできない。逆止弁３２は、粉末等の固体を通過させないタイプのものが好ましく、固体及び液体を通過させないタイプのものがより好ましい。逆止弁３２は、フィルム状のものが好ましく、ポリエチレン等のプラスチックフィルムからなるものがより好ましい。
【００２０】
図１に示す圧縮袋の袋体１０には、袋体１０の内部１５に連通しないように形成された手持ち用穴４１ａ及び４１ｂが形成されている。こうすることで、被収納物１をコンパクトに収納した状態で、袋体の手持ち用穴に手や指を挿入して簡便に持ち運ぶことができる。手持ち用穴４１ａ及び４１ｂは、手や指を挿入することで持ち運びできる形態であればよく、形状は円形でも楕円形でも四角形でも角が取れた四角形でもよい。手持ち用穴４１ａ及び４１ｂは、袋体１０の所定の位置に穴を開けることで形成してもよく、別体として作製した手持ち部を袋体に接着する方法で形成してもよい。
【００２１】
手持ち用穴の形成位置及び個数は、持ちやすさ等を考慮して適宜選択することができるが、チャック部２１より外側及び／又は脱気部３１より外側に手持ち用穴を形成することが好ましい。図１に示す圧縮袋では、チャック部２１より外側及び脱気部３１より外側に、それぞれ手持ち用穴４１ａ及び４１ｂが形成されている。このとき、チャック部２１と脱気部３１の間の折り畳み線Ｘで袋体１０を２つに折り畳んだ際に、チャック部２１より外側に形成された手持ち用穴４１ａ及び脱気部３１より外側に形成された手持ち用穴４１ｂの少なくとも一部が重なり、その重なった部分で袋体１０を手持ち可能であることがより好ましい。こうすることで、図３に示すように折り畳むことができ、被収納物１を収納した状態でよりコンパクトに持ち運び可能となる。
【００２２】
さらに、袋体１０の一方の表面に一対の雄チャック５１及び雌チャック５２が設けられていることが好ましい。雄チャック５１及び雌チャック５２は、前述のようにチャック部２１と脱気部３１の間の折り畳み線Ｘで袋体１０を２つに折り畳んだ際に互いに嵌合して、袋体１０が折り畳まれた状態で固定されるように設けられていることが好ましい。雄チャック５１及び雌チャック５２は、例えば図４に示したような形状とすることで互いに嵌合させることができる。
【００２３】
手持ち用穴４１ａ及び４１ｂが形成された領域は、袋体１０から切り取り可能であることが好ましい。手持ち用穴が形成された領域は、持ち運び時以外は基本的に不要であることから、消費者がタンス等に収納する場合には当該領域を容易に切り離すことができ、よりコンパクトにすることができる。例えば、手持ち用穴４１ａ及び４１ｂが形成された領域が袋体１０から分離可能なように、袋体１０を構成するフィルム１１に切り取り線４５が形成されていてもよく、袋体１０の端部に切り込み部４６が形成されていてもよく、図１に示すように、切り取り線４５及び切り込み部４６の両方が形成されていてもよい。
【００２４】
切り取り線４５としては、袋体１０を構成するフィルム１１に破線状の穴を形成してもよく、フィルム１１より浅いスリットを形成してもよい。切り込み部４６としては、袋体１０の端部に三角形状のノッチを形成してもよい。切り取り線４５及び切り込み部４６の両方を形成する場合には、切り取り線４５と袋体１０の端部とが交わる位置に、切り込み部４６が形成されていることが好ましい。１つの切り取り線４５又は切り込み部４６により切り取られる手持ち用穴は、１つでもよく、２つ以上でもよく、袋体１０に形成された手持ち用穴の全部でもよく、一部でもよい。
【００２５】
以上のような本発明に係る圧縮袋を用いることで、被収納物をコンパクトに収納でき、簡便に持ち運び可能となる。本発明に係る圧縮袋に収納する被収納物としては、布団、衣類などが挙げられる。
【符号の説明】
【００２６】
１      被収納物
１０    袋体
１１    フィルム
１２    側シール部
１３    底シール部
１４    開口部
１５    内部
２１    チャック部
２２    雄チャック
２３    雌チャック
３１    脱気部
３２    逆止弁
４１ａ  手持ち用穴
４１ｂ  手持ち用穴
４５    切り取り線
４６    切り込み部
５１    雄チャック
５２    雌チャック
Ｘ      折り畳み線
【図１】
0006776009.tif 000002
【図２】
0006776009.tif 000003
【図３】
0006776009.tif 000004
【図４】
0006776009.tif 000005